(57)【要約】【課題】  自然要因による心線対照の誤判断および心線対照のやり直しの防止を図る。【解決手段】  心線対照装置１は、対照光２０００が入射される心線２００であろうと目される心線２００における他端寄りに設けられ、この心線２００の複屈折率が定常的に変化を繰り返すように、この心線２００の一部である曲げ部２００ａに曲げを与える曲げ付与部１２を備える。【選択図】図１
2006133176.tif 000002
【特許請求の範囲】
【請求項１】
光通信が行われる心線に光を入射する入光部と、心線の複屈折率が定常的に変化を繰り返すように心線の一部である曲げ部に曲げを与える曲げ付与部と、当該曲げ部を通過して心線から出射した光における同一の偏波面での光の強度が心線の曲げにより変化するときの変化を検出する検出部とを備えることを特徴とする心線対照装置。
【請求項２】
前記曲げ付与部は、
前記曲げ部の形状が一定で且つ曲げ部における同一箇所が心線の長手方向に法線を有する平面または該平面に対して傾いた平面の上で周回するように曲げ部を回転させるものであることを特徴とする請求項１記載の心線対照装置。
【請求項３】
前記曲げ付与部は、
前記曲げ部に対する心線上の一方の側の箇所と他方の側の箇所をそれぞれに支える心線支持部を備え、
該心線支持部は、前記２箇所のそれぞれが心線の長手方向に法線を有する平面または該平面に対して傾いた平面の上で周回するように２箇所を回転させるものであることを特徴とする請求項２記載の心線対照装置。
【請求項４】
前記心線支持部は心線を緩く支持するものであることを特徴とする請求項３記載の心線対照装置。
【請求項５】
光通信が行われる心線に光を入射し、心線の複屈折率が定常的に変化を繰り返すように心線の一部である曲げ部に曲げを与え、当該曲げ部を通過して心線から出射した光における同一の偏波面での光の強度が心線の曲げにより変化するときの変化を検出することを特徴とする心線対照方法。
【請求項６】
前記曲げ部に曲げを付与するときは、
前記曲げ部の形状が一定で且つ曲げ部における同一箇所が心線の長手方向に法線を有する平面または該平面に対して傾いた平面の上で周回するように曲げ部を回転させることを特徴とする請求項５記載の心線対照方法。
【請求項７】
前記曲げ部に曲げを付与するときは、
前記曲げ部に対する心線上の一方の側の箇所と他方の側の箇所をそれぞれに支える心線支持部を用い、
該心線支持部で、前記２箇所のそれぞれが心線の長手方向に法線を有する平面または該平面に対して傾いた平面の上で周回するように２箇所を回転させることを特徴とする請求項６記載の心線対照方法。
【請求項８】
前記心線支持部で心線を緩く支持することを特徴とする請求項７記載の心線対照方法。
【発明の詳細な説明】
【技術分野】
【０００１】
本発明は、自然要因による心線対照の誤判断および心線対照のやり直しの防止を図った心線対照装置と心線対照方法に関するものである。
【背景技術】
【０００２】
近年では、デジタル伝送の高速、高品質サービスに対応すべく、光通信方式を用いたサービスの導入が拡大している。この光通信方式を用いたサービスでは、安定性を高めるため、光ファイバケーブル等で構成される光線路の心線対照を、通信光のサービス品質を劣化させずに、確実に行う必要がある。
【０００３】
この心線対照の一例を説明すると、先ず、図１０に示す入光部１１の偏光子１１２が、光源１１１からの光における特定の直線偏光成分を通過させ、これを光カプラ１１３が対照光２０００として分岐モジュール２０１に与える。分岐モジュール２０１から心線２００に入射した対照光２０００は、曲げ部２００ａを通過後、フィルタ部１３で反射し、反射した対照光２０００である反射光２００１が、分岐モジュール２０１で心線２００から分岐する。分岐した反射光２００１は、光カプラ１１３を介して検出部１４に与えられる。検出部１４では、偏光子１４１が反射光２００１における特定の直線偏光成分を通過させ、検出表示部１４２が、この光の強度を検出し表示する。
【０００４】
検出表示部１４２で表示された光の強度はフラットな特性を示しているのだが、曲げ付与部１２Ａが曲げ部２００ａを曲げると、図１１に示すように、フラットな特性に変動が見られるので、このときは、曲げ部２００ａで曲げられた心線２００と、光の強度を検出している心線２００とが同一であるという心線対照の結果が得られる。
【特許文献１】特開２００４−０３４０７号公報
【非特許文献１】白木和之／青柳雄二／山本素，「長波長帯通信光・光ファイバコードに対応した光ファイバ対照技術」，ＮＴＴ技術ジャーナル１５巻９号Ｐ．Ｐ．７７〜７８，平成１５年９月１日
【発明の開示】
【発明が解決しようとする課題】
【０００５】
しかしながら、心線２００が風で揺れた場合などにおいても、光の強度に変動が見られるので、この場合には、曲げられた心線２００と、光の強度を検出している心線２００とが同一であるという誤判断がなされてしまう可能性がある。そのため、曲げ部の曲率半径を大きく変動させる必要がある。
【０００６】
また、一旦心線２００を曲げた後は、光の強度が再びフラットな特性を示すので、曲げたときの変動を見落とすと、曲げられた心線２００と、光の強度を検出している心線２００とが同一ででないという、逆の意味での誤判断がなされてしまう可能性がある。
【０００７】
また、これらの場合が想定されたとしても、誤判断を防止するには、心線対照のやりなおしが必要となる。
【０００８】
本発明は、上記の課題に鑑みてなされたものであり、その目的とするところは、自然要因による心線対照の誤判断および心線対照のやり直しの防止を図った心線対照装置と心線対照方法を提供することにある。
【課題を解決するための手段】
【０００９】
上記の課題を解決するために、請求項１の本発明は、光通信が行われる心線に光を入射する入光部と、心線の複屈折率が定常的に変化を繰り返すように心線の一部である曲げ部に曲げを与える曲げ付与部と、当該曲げ部を通過して心線から出射した光における同一の偏波面での光の強度が心線の曲げにより変化するときの変化を検出する検出部とを備えることを特徴とする心線対照装置をもって解決手段とする。
【００１０】
請求項２の本発明は、前記曲げ付与部は、前記曲げ部の形状が一定で且つ曲げ部における同一箇所が心線の長手方向に法線を有する平面または該平面に対して傾いた平面の上で周回するように曲げ部を回転させるものであることを特徴とする請求項１記載の心線対照装置をもって解決手段とする。
【００１１】
請求項３の本発明は、前記曲げ付与部は、前記曲げ部に対する心線上の一方の側の箇所と他方の側の箇所をそれぞれに支える心線支持部を備え、該心線支持部は、前記２箇所のそれぞれが心線の長手方向に法線を有する平面または該平面に対して傾いた平面の上で周回するように２箇所を回転させるものであることを特徴とする請求項２記載の心線対照装置をもって解決手段とする。
【００１２】
請求項４の本発明は、前記心線支持部は心線を緩く支持するものであることを特徴とする請求項３記載の心線対照装置をもって解決手段とする。
【００１３】
請求項５の本発明は、光通信が行われる心線に光を入射し、心線の複屈折率が定常的に変化を繰り返すように心線の一部である曲げ部に曲げを与え、当該曲げ部を通過して心線から出射した光における同一の偏波面での光の強度が心線の曲げにより変化するときの変化を検出することを特徴とする心線対照方法をもって解決手段とする。
【００１４】
請求項６の本発明は、前記曲げ部に曲げを付与するときは、前記曲げ部の形状が一定で且つ曲げ部における同一箇所が心線の長手方向に法線を有する平面または該平面に対して傾いた平面の上で周回するように曲げ部を回転させることを特徴とする請求項５記載の心線対照方法をもって解決手段とする。
【００１５】
請求項７の本発明は、前記曲げ部に曲げを付与するときは、前記曲げ部に対する心線上の一方の側の箇所と他方の側の箇所をそれぞれに支える心線支持部を用い、該心線支持部で、前記２箇所のそれぞれが心線の長手方向に法線を有する平面または該平面に対して傾いた平面の上で周回するように２箇所を回転させることを特徴とする請求項６記載の心線対照方法をもって解決手段とする。
【００１６】
請求項８の本発明は、前記心線支持部で心線を緩く支持することを特徴とする請求項７記載の心線対照方法をもって解決手段とする。
【発明の効果】
【００１７】
本発明によれば、心線の複屈折率が定常的に変化を繰り返すように曲げ部に曲げを与えることで、定常的に繰り返される人工的な光の強度の変化が検出されるので、これを自然現象により心線が曲がったときの光の強度の変化と区別でき、また、光の強度の変化が定常的に検出されるので、心線対照の誤判断を防止でき、よって、曲げ部の曲率半径を大きく変動させることが不要となり、また、光の強度の変化が定常的に検出されるので、心線を曲げたときのみの光の強度の変化を見落とすようなことがなく、よって心線対照のやり直しを防止できる。
【発明を実施するための最良の形態】
【００１８】
以下、本発明の実施の形態を図面を参照して説明する。
【００１９】
図１は、本実施の形態に係る心線対照装置１の構成とその使用形態を示す図である。
【００２０】
図１では、複数の心線（光ファイバ）２００が予め敷設され、１つの心線２００の一端が局内装置１００に、他端が終端装置１０１にそれぞれ接続されることにより、この心線２００で、例えば通信光１０００による双方向の光通信が可能となっている。
【００２１】
また、各心線２００の局内装置１００寄りには、心線２００に光を入射する、または心線２００から光を分岐させる分岐モジュール２０１が設けられている。
【００２２】
これらの心線２００は、例えば、両端部に近いところ以外では、一括して束ねられた上から被覆で覆われている。そのため、局内装置１００側で心線２００の１本を選択しても、それが終端装置１０１側でどの心線２００なのかを判別できないので、心線対照装置１による心線対照が必要となっている。
【００２３】
心線対照装置１は、心線対照を行う作業者により選択された１つの分岐モジュール２０１を介して１つの心線２００に対し、例えば、通信光１０００の波長とは異なる波長の対照光２０００を入射する入光部１１と、対照光２０００が入射される心線２００であろうと目される心線２００における他端寄りに設けられ、この心線２００の複屈折率が定常的に変化を繰り返すように、この心線２００の一部である曲げ部２００ａに曲げを与える曲げ付与部１２と、曲げ付与部１２よりもさらに他端寄りに設けられ、曲げ部２００ａを通過した対照光２０００を反射し且つ対照光２０００の波長とは異なる波長の光を通過させるフィルタ部１３と、反射した対照光２０００である反射光２００１が曲げ部２００ａを逆方向に通過し、分岐モジュール２０１で心線２００から分岐し、一旦、入光部１１に入光してから出射したときに、その反射光２００１における同一の偏波面での光の強度が心線２００の曲げにより変化するときの変化を検出する検出部１４とを備える。
【００２４】
入光部１１は、光源１１１と、該光源１１１からの光における同一の偏波面の成分のみを通過させる偏光子１１２と、偏光子１１２を通過した光を対照光２０００として分岐モジュール２０１に与えるとともに、分岐モジュール２０１で心線２００から分岐した反射光２００１が一旦入光したときにこの反射光２００１を検出部１４に与える光カプラ１１３とを備える。
【００２５】
検出部１４は、入光部１１からの反射光２００１における同一の偏波面の成分のみを通過させる偏光子１４１と、偏光子１４１を通過した光の強度を検出し表示する検出表示部１４２とを備える。
【００２６】
次に、心線対照装置１の動作を説明する。
【００２７】
入光部１１では光源１１１が、例えば、円偏光を出射し、偏光子１１２が円偏光における同一の偏波面の成分である直線偏光成分のみを通過させる。
【００２８】
図１のように、光通信がなされている心線２００がある場合の光源１１１からの光の波長は、通信光１０００の波長とは異なるものにされ、これにより、通信中の心線対照が可能となる。通信光１０００の波長の上限が１．６２５μｍならば、光源１１１からの光の波長は１．６５μｍ程度でよい。
【００２９】
なお、光通信がなされている心線２００がないとわかっている場合の光源１１１からの光の波長は任意にでき、例えば、光通信の波長と同じにできる。
【００３０】
さて、偏光子１１２が、光源１１１からの、光通信の波長とは異なる波長を有する光における同一の偏波面の成分のみを通過させると、光カプラ１１３が、偏光子１１２を通過した光を対照光２０００として分岐モジュール２０１に与える。
【００３１】
分岐モジュール２０１は、光カプラ１１３からの対照光２０００を心線２００に入射させる。対照光２０００は、曲げ部２００ａを通過後、フィルタ部１３で反射する。反射した対照光２０００である反射光２００１は、曲げ部２００ａを逆方向に通過後、分岐モジュール２０１で心線２００から分岐する。
【００３２】
入光部１１では、光カプラ１１３に反射光２００１が一旦入光すると、光カプラ１１３がこの反射光２００１を検出部１４に与える。
【００３３】
検出部１４では、偏光子１４１が、入光部１１からの反射光２００１における同一の偏波面の成分である直線偏光成分のみを通過させ、検出表示部１４２が、偏光子１４１を通過した光の強度を検出し表示する。なお、表示先としては、液晶表示パネルなどが一般的であるが、表示に代えて、紙などの媒体上に好ましくはリアルタイムに描画する構成としてもよい。
【００３４】
図２は、図１において、対照光２０００を入射した心線２００と同一の心線２００にフィルタ部１３を設け且つ曲げ部２００ａを曲げていないときに検出表示部１４２が表示した光の強度を示す図である。
【００３５】
図２に示すように、検出表示部１４２が表示した光の強度には定常的な変化の繰り返しは見られず、自然要因による揺らぎのみが見られる。
【００３６】
図３は、曲げ付与部１２に係る１つの好適な実施例を説明するための図である。
【００３７】
この実施例に係る曲げ付与部１２は、曲げ部２００ａの立体的な形状が一定で且つ曲げ部２００ａにおける同一箇所が心線２００の長手方向に法線を有する平面または該平面に対して傾いた平面の上で周回するように曲げ部２００ａを回転させるものである。また、この曲げ付与部１２は、曲げ部２００ａに対する心線２００上の一方の側の箇所２１０と他方の側の箇所２２０をそれぞれに支える図示しない心線支持部１２ａ，１２ｂを備え、心線支持部１２ａ，１２ｂは、２箇所２１０，２２０のそれぞれが心線２００の長手方向に法線を有する平面または該平面に対して傾いた平面の上で周回するように２箇所を回転させるものである。
【００３８】
図３（ａ）は、心線２００の長さ方向をｚ方向として、この実施例の曲げ付与部１２が回転させた曲げ部２００ａとその前後部分をｚ方向に対して垂直なｘ方向からあるタイミングで見たときの図である。図３（ｂ）は、図３（ａ）と同じタイミングでｚ方向とｘ方向とに対して垂直なｙ方向から曲げ部２００ａとその前後部分を見たときの図である。図３（ｃ）は、半回転後のタイミングでｘ方向から曲げ部２００ａとその前後部分を見たときの図である。図３（ｄ）は、図３（ｃ）と同じタイミングでｙ方向から曲げ部２００ａとその前後部分を見たときの図である。図３（ｃ）、図３（ｄ）では、図３（ａ）、図３（ｂ）に示した曲げ部２００ａとその前後部分を破線で示している。
【００３９】
これらの図に示すように、好適な実施例の曲げ付与部１２は、図示しない心線支持部１２ａにより支持された心線２００の箇所２１０と、図示しない心線支持部１２ｂにより支持された心線２００の箇所２２０とが、心線２００の長手方向に法線を有する平面または該平面に対して傾いた平面の上で、例えば、これらの図に示した軸２５０を中心にして周回するように、当該２箇所２１０，２２０を回転させ、しかも、図３（ａ）、図３（ｃ）で顕著に示されているように、当該２箇所２１０，２２０の回転位置の位相が互いに１８０度ずれるよう回転させる。
【００４０】
これにより、曲げ部２００ａの立体的な形状が一定で且つ曲げ部２００ａにおける同一箇所が心線２００の長手方向に法線を有する平面または該平面に対して傾いた平面の上で周回するように曲げ部２００ａが回転する。
【００４１】
また、心線支持部は、例えば、２箇所２１０，２２０が心線２００の軸回りに回転し且つ長さ方向に前後移動できる程度に、緩く心線２００を支持するものが好ましい。これにより、曲げ部２００ａの捻れが蓄積し、回転しにくくなるのを防止することができる。
【００４２】
なお、曲げ部２００ａは、必ずしも上記のように回転しなくてよく、例えば、２箇所２１０，２２０の回転が同期していてもよい。また、例えば、図３（ａ）、図３（ｂ）に見られるＳ字がＵ字になるような回転でもよい。
【００４３】
図４は、図１において、対照光２０００を入射した心線２００と同一の心線２００にフィルタ部１３を設け且つ曲げ部２００ａを図３のようにして曲げたときに検出表示部１４２が表示した光の強度を示す図である。
【００４４】
図４に示すように、検出表示部１４２が表示した光の強度には、図２では見られなかった定常的な変化の繰り返しが見られる。これは自然が要因でないから、対照光２０００を入射した心線２００と、曲げた心線２００とが同一であるという心線対照の結果が得られる。
【００４５】
図５は、心線２００として用いられる光ファイバの心線を曲げた場合の応力分布を示す図であるが、この図５に示すように、光ファイバを曲げるとその一部が伸びつつ他の一部が縮む。これにより、心線の複屈折率が変化し、その心線の中の光における同一の偏波面での強度が変化するので、心線対照装置１では、検出表示部１４２がこのような変化を検出し表示しているのである。
【００４６】
なお、図６に示すように、対照光２０００を入射した心線２００と同一の心線２００にフィルタ部１３を設け且つ曲げ部２００ａを図３のようにして曲げたときに終端装置１０１が受信した通信光１０００には、曲げ部２００ａが曲げられたことによるものと見られる強度変化は観測されなかった。
【００４７】
図７は、図１の心線対照装置１が、局内装置１００と終端装置１０１を接続されていない心線２００の心線対照を行うときの様子を示す図である。
【００４８】
この場合は、図７に示すように、入光部１１では、光カプラ１１３が、分岐モジュール２０１を介してでなく、当該心線２００の一端から対照光２０００を入射させることで、上記した動作と同様の動作がなされる。これは、終端装置１０１が心線２００に接続されているか否かに関わらず同じである。
【００４９】
図８は、図７において、対照光２０００を入射した心線２００と同一の心線２００にフィルタ部１３を設け且つ曲げ部２００ａを曲げていないときに検出表示部１４２が表示した光の強度を示す図である。
【００５０】
図８に示すように、検出表示部１４２が表示した光の強度には定常的な変化の繰り返しは見られず、自然要因による揺らぎのみが見られる。
【００５１】
図９は、図７において、対照光２０００を入射した心線２００と同一の心線２００にフィルタ部１３を設け且つ曲げ部２００ａを図３のようにして曲げたときに検出表示部１４２が表示した光の強度を示す図である。
【００５２】
図９に示すように、検出表示部１４２が表示した光の強度には、図７では見られなかった定常的な変化の繰り返しが見られる。これは自然が要因でないから、対照光２０００を入射した心線２００と、曲げた心線２００とが同一であるという心線対照の結果が得られる。
【００５３】
なお、本実施の形態では、局内装置１００が心線２００に接続されているか否かに関わらず、終端装置１０１を接続されていない心線２００の心線対照を行うときは、フィルタ部１３を設けないで、曲げ部２００ａを通過して、心線２００の端部から出射した対照光２０００を強度を、検出部１４が反射光２００１を処理したようときのように検出すればよい。
【００５４】
また、局内装置１００と終端装置１０１の位置が互いに逆になるようにする、つまり終端装置１０１側から対照光２０００を入射する構成としてもよい。
【００５５】
以上説明したように、本実施の形態に係る心線対照装置１によれば、心線の複屈折率が定常的に変化を繰り返すように曲げ部に曲げを与えることで、定常的に繰り返される人工的な光の強度の変化が検出されるので、これを自然現象により心線が曲がったときの光の強度の変化と区別でき、また、光の強度の変化が定常的に検出されるので、心線対照の誤判断を防止でき、よって、曲げ部の曲率半径を大きく変動させることが不要となり、しかも、光の強度の変化が定常的に検出されるので、心線を曲げたときのみの光の強度の変化を見落とすようなことがなく、よって心線対照のやり直しを防止できる。
【図面の簡単な説明】
【００５６】
【図１】本実施の形態に係る心線対照装置１の構成とその使用形態を示す図である。
【図２】図１において、対照光２０００を入射した心線２００と同一の心線２００にフィルタ部１３を設け且つ曲げ部２００ａを曲げていないときに検出表示部１４２が表示した光の強度を示す図である。
【図３】曲げ付与部１２に係る１つの好適な実施例を説明するための図である。
【図４】図１において、対照光２０００を入射した心線２００と同一の心線２００にフィルタ部１３を設け且つ曲げ部２００ａを曲げたときに検出表示部１４２が表示した光の強度を示す図である。
【図５】心線２００として用いられる光ファイバの心線を曲げた場合の応力分布を示す図である。
【図６】図１において、対照光２０００を入射した心線２００と同一の心線２００にフィルタ部１３を設け且つ曲げ部２００ａを曲げたときに終端装置１０１が受信した通信光１０００の強度を示す図である。
【図７】図１の心線対照装置１が、局内装置１００と終端装置１０１を接続されていない心線２００の心線対照を行うときの様子を示す図である。
【図８】図７において、対照光２０００を入射した心線２００と同一の心線２００にフィルタ部１３を設け且つ曲げ部２００ａを曲げていないときに検出表示部１４２が表示した光の強度を示す図である。
【図９】図７において、対照光２０００を入射した心線２００と同一の心線２００にフィルタ部１３を設け且つ曲げ部２００ａを曲げたときに検出表示部１４２が表示した光の強度を示す図である。
【図１０】従来において心線対照を行うときの装置構成とその使用形態を示す図である。
【図１１】図１０の検出表示部１４２で表示された光の強度を示す図である。
【符号の説明】
【００５７】
１…心線対照装置
１１…入光部
１２…曲げ付与部
１２ａ，１２ｂ…心線支持部
１３…フィルタ部
１４…検出部
１００…局内装置
１０１…終端装置
１１１…光源
１１２…偏光子
１１３…光カプラ
１４１…偏光子
１４２…検出表示部
２００…心線
２００ａ…曲げ部
２０１…分岐モジュール
２１０，２２０…心線を支持する箇所
１０００…通信光
２０００…対照光
２００１…反射光
【図１】
2006133176.tif 000003
【図２】
2006133176.tif 000004
【図３】
2006133176.tif 000005
【図４】
2006133176.tif 000006
【図５】
2006133176.tif 000007
【図６】
2006133176.tif 000008
【図７】
2006133176.tif 000009
【図８】
2006133176.tif 000010
【図９】
2006133176.tif 000011
【図１０】
2006133176.tif 000012
【図１１】
2006133176.tif 000013